(57)【要約】【課題】窓カバーを容易に装着でき、商品の展示に際し、視覚的に強い印象を与えることができる捻り箱を提供する。【解決手段】角筒状の周壁１を形成する各側板２に、窓３を設けると共に、対角線方向に延びる折目線４を入れ、側板２を折目線４に沿って谷折りすることにより、周壁１の下部と上部とを９０°捻り、折目線４で区画された側板２の隣り合う部分同士を密着させて、窓３の側方の柱部５が傾斜した捻り状態に保持し、周壁１の下部に台状の受部材６を挿入し、透明樹脂製の筒状に形成した窓カバー１５を周壁１に挿入して窓３に嵌め、受部材６に載せた商品が窓カバー１５を介して外部から見えるようにする。【選択図】図１
2010070223.tif 000002
【特許請求の範囲】
【請求項１】
角筒状の周壁(1)を形成する各側板(2)に、窓(3)を設けると共に、対角線方向に延びる折目線(4)を入れ、側板(2)を折目線(4)に沿って谷折りすることにより、周壁(1)の下部と上部とを捻り、折目線(4)で区画された側板(2)の隣り合う部分同士を密着させて、窓(3)の側方の柱部(5)が傾斜した捻り状態に保持し、周壁(1)の下部に台状の受部材(6)を挿入し、透明樹脂製の筒状に形成した窓カバー(15)を周壁(1)に挿入して窓(3)に嵌め、受部材(6)に載せた商品が窓カバー(15)を介して外部から見えるようにした展示用捻り箱。
【発明の詳細な説明】
【技術分野】
【０００１】
この発明は、捻られた特徴ある外観を有し、商品の展示ケースとして使用される箱に関するものである。
【背景技術】
【０００２】
従来、下記特許文献１には、図５に示すように、多角筒状の周壁５１を形成する側板５２の中間部分を斜行させ、隣り合う側板５２同士を境界の折目線５３に沿って山折りし、捻られた外観を有する形状とした包装容器が記載されている。
【０００３】
【特許文献１】米国特許第３９１２１５６号明細書
【発明の開示】
【発明が解決しようとする課題】
【０００４】
しかしながら、上記のような包装容器では、側板の中間部分が湾曲しているため、その部分に窓やこれを覆う透明な窓カバーを設けて、商品の展示ケースとすることが難しいという問題がある。
【０００５】
また、周壁をあまり大きな角度で捻ることができず、周壁に変化が乏しいため、視覚的な印象が弱いという問題がある。
【０００６】
そこで、この発明は、窓カバーを容易に装着でき、商品の展示に際し、視覚的に強い印象を与えることができる展示用捻り箱を提供しようとするものである。
【課題を解決するための手段】
【０００７】
上記のような課題を解決するため、この発明は、角筒状の周壁を形成する各側板に、窓を設けると共に、対角線方向に延びる折目線を入れ、側板を折目線に沿って谷折りすることにより、周壁の下部と上部とを捻り、折目線で区画された側板の隣り合う部分同士を密着させて、窓の側方の柱部が傾斜した捻り状態に保持し、周壁の下部に台状の受部材を挿入し、透明樹脂製の筒状に形成した窓カバーを周壁に挿入して窓に嵌め、受部材に載せた商品が窓カバーを介して外部から見えるようにしたのである。
【発明の効果】
【０００８】
この展示用捻り箱では、組み立てに際し、周壁の捻りに伴い傾斜した柱部の内側に、筒状に形成した透明樹脂製の窓カバーを挿入するだけで、窓カバーを窓に簡単に嵌めることができ、商品の陳列に際しては、周壁が大きく捻られて、傾斜した柱部の間から受部材上の商品が見えるので、視覚的に強い印象を与える展示が可能となる。
【発明を実施するための最良の形態】
【０００９】
以下、この発明の実施形態を添付図面に基づいて説明する。
【００１０】
この捻り箱は、図１に示すような形態に組み立てて、携帯電話機等の商品の展示に使用するものであり、図２に示す板紙製ブランクを基本構成部材とする。
【００１１】
このブランクでは、周壁１を形成する長方形の側板２が横方向に４枚連設され、一端の側板２の外側には継代片２ａが形成されている。側板２には、長方形の窓３が設けられると共に、対角線方向に延びる切目入りリード罫の折目線４が入れられている。窓３の両側方は、柱部５とされている。
【００１２】
一端の側板２の上下端には、受部材６が連設され、各受部材６は、一対の台形の内側板７の間に正方形の受板８を設け、受板８の両側に折曲片９を連設し、受板８に折曲片９との境界に臨むスリット状の係止穴８ａを形成したものとされている。
【００１３】
受部材６を有する側板２に隣接した側板２及び他端の側板２の上下端には、台形の内側板１０が連設され、その先端には、組立時に係止穴８ａに係合する係止突起１０ａが設けられている。
【００１４】
内側板１０を有する一対の側板２に挟まれた側板２の上下端には、蓋部材１１が連設され、各蓋部材１１は、正方形の蓋板１２の３辺に折曲片１３を連設し、蓋板１２に折曲片１３との境界に臨むスリット状の封止穴１３ａを形成したものとされている。
【００１５】
一端の側板２の上下端部と内側板７との境界部分には、封止片１４が切込により設けられている。
【００１６】
このブランクを組み立てて、商品の携帯電話機を展示するには、図３に示すように、側板２を巻き込み、継代片２ａを他端の側板２に貼着して、周壁１を角筒状に形成する。
【００１７】
次に、下方の受部材６を上窄まりの台状に形成して、周壁１の下部に挿入し、内側板１０を内側に折り曲げ、係止突起１０ａを係止穴８ａに係合させ、蓋部材１１を閉じて、封止片１４を封止穴１３ａに差し込む。
【００１８】
そして、図４に示すように、側板２を折目線４に沿って谷折りすることにより、周壁１の下部と上部とを９０°捻る。
【００１９】
このとき、柱部５は、一旦湾曲するように変形して抵抗するが、思案点となる角度を超えて捻ると、弾性により復元し、折目線４で区画された側板２の隣り合う部分同士が密着して、柱部５が傾斜した捻り状態に保持される。なお、保形性を高めるため、柱部５の裏面で両面粘着テープ等により側板２同士を貼り合わせてもよい。
【００２０】
その後、透明樹脂板製の窓カバー１５を角筒状に曲げ、周壁１に挿入し、図１に示すように、窓３に嵌めて下方の受部材６で支持し、窓カバー１５の内側に商品を収納して、下方の受部材６の受板８に商品を載せると、商品が窓カバー１５を介して外部から見える。
【００２１】
この状態で、上方の受部材６を下窄まりの台状に形成して、周壁１の上部に挿入し、内側板１０を内側に折り曲げ、蓋部材１１を閉じて、封止片１４を封止穴１３ａに差し込むと、組立作業が完了する。
【００２２】
上記のような捻り箱では、組み立てに際し、周壁１の捻りに伴い傾斜した柱部５の内側に、角筒状に折り曲げた透明樹脂板製の窓カバー１５を挿入するだけで、窓カバー１５を窓３に簡単に嵌めることができる。
【００２３】
そして、商品の陳列に際しては、周壁１が大きく９０°捻られて、傾斜した４本の柱部５の間から受部材６に載せられた商品が見えるので、視覚的に強い印象を与える展示が可能となり、商品は窓カバー１５で保護されて、取り出すことができず、いたずらによる商品の破損等が防止される。
【００２４】
また、このように捻り箱に収納したままで商品を輸送する際、外箱で捻り箱を梱包すると、商品の外周からの衝撃が柱部５により緩和され、天地方向からの衝撃も柱部５により緩和されるので、商品を輸送時の衝撃から保護することができる。
【００２５】
なお、上記実施形態では、四角筒状の周壁１を捻ったものを例示したが、六角筒状や八角筒状等の周壁１を捻る捻り箱も上記と同様に構成することができる。
【００２６】
また、商品収納部の上方にも受部材６及び蓋部材１１を設けたが、これらのいずれか又は双方を省略しても、周壁１の捻り状態は保持される。
【００２７】
さらに、受部材６と周壁１とを一体としたが、受部材６を、周壁１とは別体で独立して保形されるものとし、これを周壁１の下部に挿入するようにしてもよい。
【００２８】
そのほか、窓３を長方形とし、窓カバー１５を四角筒として、窓３の開口縁全長に亘って窓カバー１５が沿うものとしたが、窓３の開口縁を曲線としたり、窓カバー１５を円筒状とする等により、窓３の開口縁に窓カバー１５が部分的に沿うようにしてもよい。
【図面の簡単な説明】
【００２９】
【図１】この発明に係る捻り箱による商品展示状態を示す斜視図
【図２】同上の捻り箱のブランクを示す図
【図３】同上の組立過程を示す斜視図
【図４】同上の周壁を捻った状態を示す斜視図
【図５】従来の捻り包装容器を示す斜視図
【符号の説明】
【００３０】
１  周壁
２  側板
２ａ  継代片
３  窓
４  折目線
５  柱部
６  受部材
７  内側板
８  受板
８ａ  係止穴
９  折曲片
１０  内側板
１０ａ  係止突起
１１  蓋部材
１２  蓋板
１３  折曲片
１３ａ  封止穴
１４  封止片
１５  窓カバー
【図１】
2010070223.tif 000003
【図２】
2010070223.tif 000004
【図３】
2010070223.tif 000005
【図４】
2010070223.tif 000006
【図５】
2010070223.tif 000007